(57)【要約】【課題】受け板を省略し操作部材を直接に本体基部へ取付けたストロボスイッチを提供する。【解決手段】ストロボスイッチの操作部材４は、前カバーに設けられた開口から露呈する操作部４１と、操作部４１と一体に形成された支持部４２と、支持部４２に一体に形成されたクリック片４３と、クリック片４３に設けられた凸部４４とによって構成する。前記支持部４２はフィルム収納室１７の外側に設けられたガイドレール１７ａと、遮光筒２２の壁に設けられた補助レール２２ａによって支持される。本体基部には前記凸部４４と係合する位置決め突起３５が一体に形成され、位置決め突起３５は前記本体基部と前記操作部材４に挟まれた空間に配置された回路基板３０に設けられた貫通穴３０ａを貫通し、回路基板３０の浮き防止の為の押え爪３５ａを備えている。【選択図】図３
2008122680.tif 000002
【特許請求の範囲】
【請求項１】
光を発する発光部と、該発光部の発光を可能にするスライド式の操作部材とを有する発光装置のスイッチ構造において、
前記操作部材は、前記発光装置の外装部材に設けられた開口から露呈する操作部と、前記操作部と一体に形成され本体基部に設けられた案内手段によって支持された支持部と、前記支持部に一体に形成されたクリック片と、前記クリック片に設けられた凸部とによって構成されたことを特徴とする発光装置のスイッチ構造。
【請求項２】
前記本体基部には前記凸部と係合可能な位置に位置決め突起が一体に形成され、前記位置決め突起は、前記本体基部と前記操作部材に挟まれた空間に配置された前記発光装置の回路基板に設けられた穴を貫通し、前記回路基板の押え爪を備えていることを特徴とする請求項１記載の発光装置のスイッチ構造。
【請求項３】
前記発光装置の外装部材の裏面には前記操作部材の移動方向と交差する方向を向いた係合面が設けられた位置決め突起が形成され、
前記操作部材の前記本体基部方向への押圧力によって前記支持部が撓み前記凸部と前記位置決め突起の係合が解除されて前記操作部材が移動可能となることを特徴とする請求項１記載の発光装置のスイッチ構造。
【請求項４】
被写体に向かって光を照射するストロボ装置と、
該ストロボ装置の電源スイッチをオン／オフするスライド式の操作部材と、
シャッタ羽根の背後にあって光密な空間を形成する遮光筒と未露光の写真フィルムが装填されるフィルム収納室とを備えた本体基部と、
これらを前面から覆う前カバーとを有するレンズ付きフイルムユニットにおいて、
前記操作部材は、前記前カバーに設けられた開口から露呈する操作部と、前記操作部と一体に形成され前記本体基部に設けられた案内手段によって支持された支持部と、前記支持部に一体に形成されたクリック片と、前記クリック片に設けられた凸部とによって構成されたことを特徴とするレンズ付きフイルムユニット。
【請求項５】
前記案内手段は、前記フィルム収納室の外壁に設けられたガイドレールと、前記遮光筒の外壁に設けられた補助レールであることを特徴とする請求項４記載のレンズ付きフイルムユニット。
【請求項６】
前記本体基部には前記凸部と係合可能な位置に位置決め突起が一体に形成され、前記位置決め突起は、前記本体基部と前記操作部材に挟まれた空間に配置された前記ストロボ装置の回路基板に設けられた穴を貫通し、前記回路基板の押え爪を備えていることを特徴とする請求項４または５記載のレンズ付きフイルムユニット。
【請求項７】
前記前カバーの裏面には前記操作部材の移動方向と交差する方向を向いた係合面が設けられた位置決め突起が一体に形成され、
前記操作部材は、前記前カバーに設けられた開口から露呈する操作部と、前記本体基部にスライド自在に支持される支持部と、前記位置決め突起に設けられた係合面と係合可能な位置に設けられた当接面を有するクリック片とによって構成され、
前記操作部材は前記本体基部方向への押圧力によって前記支持部が撓み撓み前記係合面と前記当接面の係合が解除されて前記操作部材が移動可能となることを特徴とするレンズ付きフイルムユニット。
【発明の詳細な説明】
【技術分野】
【０００１】
本発明は、レンズ付きフイルムユニットのストロボ装置など発光装置のついた機器のスイッチ構造に関するものである。
【背景技術】
【０００２】
手軽に写真撮影を楽しむことができるツールとしてレンズ付きフイルムユニットやコンパクトカメラあるいはデジタルカメラなどがある。これらの低価格品の構造は単純で、写真フィルムあるいはイメージセンサなどの撮像部材と、撮影レンズやシャッタ機構などの撮影機構から構成され、自動焦点機構や自動露出機構などは装備されていない。
【０００３】
撮影レンズとしては、大量生産が可能なプラスチックレンズで構成したものが知られており、例えば３５ｍｍ幅のカートリッジ付き写真フィルム（１３５タイプ）や２４ｍｍ幅のカートリッジ付き写真フィルム（ＩＸ２４０タイプ）を内蔵する場合、焦点距離が例えば３５ｍｍ以下の準広角レンズが用いられる。この準広角レンズを用いることで、レンズ部の厚みを薄くすることができ、絞り開口を小さくしてＦナンバーを例えば１０程度となるようにすることで被写体深度を深くし、それによって、ピント調節機構を備えていなくても遠距離から近距離までの広い範囲において良好な画質を得ている。
【０００４】
シャッタ機構は、レンズ付きフイルムユニット、コンパクトカメラ、デジタルカメラそれぞれが夫々に適した独自の構造のものを搭載している。
【０００５】
また、フラッシュ装置を搭載することによって、暗い室内等でも撮影を行うことができるようにしたストロボ内蔵型もある。このストロボはレンズ付きフイルムユニットやコンパクトカメラに内蔵した電源電池の電圧を高電圧に昇圧してコンデンサを充電し、コンデンサに蓄えた電気エネルギをキセノン管に放電して発光させる装置であり、このストロボを内蔵したレンズ付きフイルムユニットやコンパクトカメラには、撮影時に、発光させるか否かを選択するスイッチが設けられており、その操作部材の操作部が前カバーから露呈している。
【０００６】
このストロボの操作部材の構造には図７に示すようなものがある。操作部材８５は、レンズ付きフイルムユニットの本体基部に取付けられた受け板８７の上を、ガイドレール８７ｂおよび補助レール８７ｃによって位置規制されて移動する。操作部材８５は操作部８５ａと支持部８５ｂからなり、支持部８５ｂには圧力を受けて撓むクリック片８５ｃが設けられ、クリック片８５ｃの中央部分に凸部８５ｄが形成されている。
【０００７】
一方、受け板８７には、前記ガイドレール８７ｂおよび補助レール８７ｃの他に突起８７ａが一体に形成されており、前記操作部８５ａを操作して前記操作部材８５をオフ位置からオン位置へ移動させる時、前記凸部８５ｄは、前記クリック片８５ｃを撓ませながら前記突起８７ａを乗り越える。
【０００８】
また前記操作部材８５には、前記操作部８５ａの裏面に押圧部８５ｆが設けられており、この押圧部８５ｆによってストロボスイッチがオン／オフする。また押圧部８５ｆの根元部分８５ｇは前記受け板８７に設けられたガイド穴８７ｄと嵌合し、前記操作部材８５の左右方向の位置を規制している。このように前記操作部材８５は、前記受け板８７によってストロボスイッチを正しくオン／オフさせることができる。このような構造をしたものに、下記特許文献１に示されたレンズ付きフイルムユニットがある。
【０００９】
【特許文献１】特開２００１−１６３８４０号公報
【発明の開示】
【発明が解決しようとする課題】
【００１０】
しかしながら、特許文献１を見てわかるように、受け板の背面にはストロボの回路基板が配置されているので、受け板の機能である操作部材のガイドや位置決めのためのクリックなどを本体基部に設けることができず、受け板なしでは操作部材を組付けることができない。そのため受け板を必要としていた。
【００１１】
本発明は上記問題点に鑑み、受け板を省略して操作部材を直接に本体基部へ取付けても、その位置決めやクリック、ストロボスイッチのオン／オフ操作などに支障を起こさない構造を提供して、部品費削減と組立作業効率アップによる製造原価のコストダウンと故障発生率ダウンを目的とするものである。
【課題を解決するための手段】
【００１２】
上記目的を達成するために、本発明による発光装置のスイッチ構造は、光を発する発光部の発光を可能にするスライド式の操作部材を有する。前記操作部材は、前記発光装置の外装部材に設けられた開口から露呈する操作部と、前記操作部と一体に形成され本体基部に設けられた案内手段によって支持された支持部と、前記支持部に一体に形成されたクリック片と、前記クリック片に設けられた凸部とによって構成する。
【００１３】
本体基部には前記凸部と係合可能な位置に位置決め突起を一体に形成し、前記位置決め突起は前記本体基部と前記操作部材に挟まれた空間に配置された前記発光装置の回路基板に設けられた穴を貫通し、前記回路基板の浮き防止のための押え爪を備えている。
【００１４】
あるいは、前記発光装置の外装部材の裏面に前記操作部材の移動方向と交差する方向を向いた係合面を設けた位置決め突起を一体に形成する。前記操作部材の前記本体基部方向への押圧力によって前記支持部が撓み前記係合が解除されて前記操作部材が移動可能となる。
【発明の効果】
【００１５】
本発明によれば、ストロボ装置の操作部材を本体基部に設けたガイドレールで支持し、本体基部に一体に形成した位置決め突起に回路基板の浮き防止爪を設けることで、操作部材の位置決めと回路基板の浮き防止を合わせて持つようにしたので、従来必要だった受け板が不要となって部品数を削減することができ、部品費削減、組立作業効率アップによる製造原価のコストダウン、故障発生率の低下によるコストダウンが実施できる。
【発明を実施するための最良の形態】
【００１６】
図１に示す本発明を実施したレンズ付きフイルムユニット１は、前面に、撮影レンズ３、ストロボスイッチの操作部材４、対物側ファインダ窓５、ストロボ発光部６が設けられている。またレンズ付きフイルムユニット１の上面には、シャッタのレリーズボタン８、フィルムの撮影枚数を残数表示するカウンタ窓９、ストロボ充電表示部材１０が設けられている。
【００１７】
図２に示すように、レンズ付きフイルムユニット１は、本体基部１３と、この本体基部１３を前後から覆うように配置される前カバー１４及び後カバー１５とから構成される。本体基部１３の左右には、カートリッジ室１６及びフィルム収納室１７とが形成されており、フィルムカートリッジ１８及び写真フィルム１９をロール状にしたフィルムロール１９ａとがそれぞれ装填される。カートリッジ室１６の上部には巻上げノブ２０が配置され、この巻上げノブ２０の下部には、フィルムカートリッジ１８のスプールに係合される軸部材が形成されている。この巻上げノブ２０を図中反時計方向に回動させることにより、撮影済の写真フィルム１９がフィルムカートリッジ１８の内部に巻き上げられる。
【００１８】
カートリッジ室１６とフィルムロール室１７との間には暗箱を形成する遮光筒２２が設けられており、この遮光筒２２には、シャッタ機構、フィルム巻止め機構、撮影コマ数をカウントするカウンタ機構、ファインダ等が組み付けられている。また、遮光筒２２の前面中央には露光開口が形成されており、その前面にシャッタ羽根、レンズホルダ２１が取り付けられる。
【００１９】
ストロボ装置２４は、メインコンデンサ２５、ストロボ発光部６、シンクロ接片２７、ストロボスイッチ２８、電池３２の両極を挟み込む一対の電池接片２９等の回路素子が実装されたストロボ基板３０とから構成されている。シンクロ接片２７は、シャッタ機構を構成するシャッタ羽根の回動とともに短絡して、ストロボ発光部６に設けられたストロボ放電管３３（図４参照）を発光させる。ストロボスイッチ２８は、操作部材４の上下方向のスライド操作によりオン／オフする。
【００２０】
図３に示すストロボの回路基板を取付けた本体基部と操作部材の拡大図にて操作部材４の構成を説明する。前記操作部材４は、板状の支持部４２に、前記前カバー１４に設けられた開口３７から露呈される操作部４１と、前記ストロボ充電表示部材１０と係合する挟持部４５とが形成されている。また前記本体基部１３には位置決め突起３５が形成されている。
【００２１】
支持部４２の左右の端は、前記フィルム収納室１７の外壁に設けられたガイドレール１７ａと前記遮光筒２２の外壁に設けられた補助レール２２ａとによって支持され、前記操作部４１の操作によりオン位置とオフ位置の間を移動する。前記支持部４２には、自身が撓むことを許容するクリック片４３が一体に形成され、クリック片４３の先端には凸部４４が設けられている。
【００２２】
ストロボの回路基板３０は、本体基部のフィルム収納室１７と遮光筒２２の間のスペースに納められている。前記操作部材４は、前記フィルム収納室１７と前記遮光筒２２に設けられたレール上を移動するが、その直ぐ下には回路基板３０が配置されているので、振動や落下によって前記回路基板３０が少しでも動くと、前記操作部材４の動きを阻害することになる。
【００２３】
そこで、前記位置決め突起３５は前記回路基板３０に明けられた貫通穴３０ａを貫通し、前記位置決め突起３５には先端より少し下方に鉤状となった押え爪３５ａが形成され、前記回路基板３０が振動や落下によって浮いてこないように押えている。
【００２４】
次に操作部材４の作用について説明する。ストロボ撮影の準備のために前記操作部材４をオフ位置からオン位置へ移動させる。オフ位置では、前記凸部４４は前記クリック片４３の下方直近に位置している。前記操作部４１の上方への操作に伴い、前記凸部４４は前記クリック片４３を前カバー側に撓ませながら前記位置決め突起３５を乗り越え、前記操作部材４はオン位置で停止する。
【００２５】
この時、操作部４１の裏側に設けられた突起部（図示せず）がストロボスイッチ２８を押して、ストロボスイッチ２８の先端が、回路基板３０のスイッチランド２８ａおよび２８ｂに接触してストロボスイッチ２８がオンする。凸部４４は、前記操作部材４が移動する時に本体基部に一体に形成された位置決め突起３５の先端を乗り越え、クリック感を与える。
【００２６】
次に本発明による別の実施形態であるレンズ付きフイルムユニットについて説明する。図５に示すように、レンズ付きフイルムユニット２の基本構成は前述の実施形態とほぼ同じであるため、同じ部分の説明は省略する。操作部材５０は、板状の支持部５２に、前カバー７０に設けられた開口７２から露呈される操作部５１と、ストロボ充電表示部材１０と係合する挟持部５５とが形成されている。操作部５１の表面には手の指の腹で押し付けながら操作部材５０を移動させるための凹凸が形成されている。支持部５２の左右の端は、フィルム収納室６７の外壁に設けられたガイドレール６７ａと遮光筒２２の外壁に設けられたガイドレール２２ａとに支持され、前記操作部５１の操作によりオン位置とオフ位置の間を移動する。支持部５２には、自身が撓むことを許容するクリック片５３が一体に形成され、クリック片５３の先端には凸部５４が設けられている。前記操作部材５０が、前記オン位置とオフ位置の間を移動する時、凸部５４は、前記前カバー７０の裏面に一体に形成された位置決め突起７１を乗り越える。
【００２７】
次に、図６に示す動作説明図にて、前記操作部材５０がオフ位置からオン位置へと移動する時の、前記クリック片５３および前記凸部５４と、前記位置決め突起７１の動きについて説明する。（イ）はオフ位置を示す。前記位置決め突起７１には前記操作部材５０の移動方向に垂直な係合面７１ａと７１ｂが形成されている。前記凸部５４の前記係合面７１ａと係合可能な至近位置に対向して移動方向と交差する方向を向いた当接面５４ａが形成されており、前記操作部材５０が何らかの理由によって移動方向に不用意な外力を受けた時、前記当接面５４ａは前記係合面７１ａに当接する。前記係合面７１ａと前記当接面５４ａは前記操作部材５０の移動方向と交差する方向を向いて略垂直に形成されているので、これによって前記クリック片５３が撓むことはなく、前記操作部材５０に強い外力が加わったとしても、前記操作部材５０が移動することはない。
【００２８】
撮影準備のため、オフ位置にある前記操作部５１を指の腹で押し付けオン位置へ移動させる操作をすると、前記当接面５４ａは前記係合面７１ａに当接し前記操作部材５０は移動方向へは動かず、操作部５１に加えられた力のうち前記操作部材５０を前記本体基部６３の方向へ押し付ける力によって板状の前記支持部５２が撓み中央部分が前記前カバー７０から離れる方向に動く。それによって中央部付近に設けられたクリック片５３と凸部５４が前記前カバー７０から離れる方向に動き、前記当接面５４ａと前記係合面７１ａの係合が解除され、前記操作部材５０はオン位置へと移動する（（ハ）〜（ホ）参照 ）。
【００２９】
前記操作部材５０の不用意な移動は撮影中の前記操作部材５０への指掛かりなどによってオン位置においても起こり得ることである。そこで（ホ）に示すオン位置においても、前記凸部５４に設けられた当接面５４ｂが前記係合面７１ｂと当接し、前記操作部材５０の不用意な移動を阻止している。前記操作部材５０がオン位置からオフ位置へ移動する時の前記凸部５４の動きは、前述したオフ位置からオン位置へ移動する時と同様である。
【００３０】
上記の説明では、レンズ付きフイルムユニットの実施態様を用いて説明したが、本発明はこれに限らず、非常灯、懐中電灯などの発光装置を備えた機器にも採用することが可能である。
【図面の簡単な説明】
【００３１】
【図１】本発明の実施形態のレンズ付きフイルムユニットの斜視概観図である。
【図２】図１のレンズ付きフイルムユニットの分解斜視図である。
【図３】図１の操作部材を組付ける前の部分拡大図。
【図４】ストロボの回路図。
【図５】別の実施形態のレンズ付きフイルムユニットの分解斜視図である。
【図６】図６に示すレンズ付きフイルムユニットの操作部材の動作説明図である。
【図７】従来のレンズ付きフイルムユニットにおけるストロボスイッチの操作部材の分解斜視図である。
【符号の説明】
【００３２】
４，５０  操作部材
１３，６３  本体基部
１４，７０  前カバー
１７，６７  フィルム収納室
２２  遮光筒
２８  ストロボスイッチ
３５，７２  位置決め突起
４１，５１  操作部
４２，５２  支持部
４３，５３  クリック片
４４，５４  凸部
【図１】
2008122680.tif 000003
【図２】
2008122680.tif 000004
【図３】
2008122680.tif 000005
【図４】
2008122680.tif 000006
【図５】
2008122680.tif 000007
【図６】
2008122680.tif 000008
【図７】
2008122680.tif 000009